(57)【要約】      （修正有）【課題】マスクの再利用を良好に行うことが可能なマスクカバーを提供する。【解決手段】マスクカバー１は、マスク本体の第１の面および第２の面を覆った状態でマスク本体を収容し通気性を有するカバー部２と、マスク本体をカバー部内へ案内する案内部４とを備え、カバー部は、第１の面を覆うシート状の第１のカバー部２２と、第２の面を覆うシート状の第２のカバー部２３とを含み、第１のカバー部の下縁部と第２のカバー部の下縁部とが一体的に連結されるとともに、第１のカバー部の上縁部と第２のカバー部の上縁部とが一体的に連結され、第１のカバー部の左縁部と第２のカバー部の左縁部との間、および第１のカバー部の右縁部と第２のカバー部の右縁部との間、の少なくともいずれか一方に隙間２６が形成され、隙間により、各左縁部と各右縁部との少なくともいずれか一方が案内部として機能する。【選択図】図２
0003226831.tif 000002
【実用新案登録請求の範囲】
【請求項１】
口元を覆うマスク本体と、前記マスク本体の左右両側に設けられる一対の耳掛けひもとを備えるマスクを覆うマスクカバーであって、
前記マスク本体は、ユーザが前記マスクを装着した際にユーザ側に位置する第１の面と、前記第１の面とは反対側に位置する第２の面とを有し、
前記マスクカバーは、
前記マスク本体における前記第１の面および前記第２の面の両方を覆った状態で前記マスク本体を収容し、通気性を有するカバー部と、
前記マスク本体を前記カバー部内へ案内する案内部とを備え、
前記カバー部は、前記第１の面を覆うシート状の第１のカバー部と、前記第２の面を覆うシート状の第２のカバー部とを含み、
前記第１のカバー部の下縁部と前記第２のカバー部の下縁部とが一体的に連結されるとともに、前記第１のカバー部の上縁部と前記第２のカバー部の上縁部とが一体的に連結され、
前記第１のカバー部の左縁部と前記第２のカバー部の左縁部との間、および前記第１のカバー部の右縁部と前記第２のカバー部の右縁部との間、の少なくともいずれか一方に隙間が形成され、前記隙間の形成により、各前記左縁部と各前記右縁部との少なくともいずれか一方が、前記案内部として機能する、マスクカバー。
【請求項２】
前記マスクカバーは、前記マスク本体が前記カバー部に覆われた状態において、前記耳掛けひもを前記カバー部の縁部よりも外側へ延出させる延出部を備え、
前記延出部を設けるための前記隙間が形成されている、請求項１に記載のマスクカバー。
【請求項３】
前記カバー部は、折り目を境に二つ折りされたシート材により構成され、
前記第１のカバー部における、前記折り目とは反対側の縁部と、前記第２のカバー部における、前記折り目とは反対側の縁部とが接合されている、請求項１または２に記載のマスクカバー。
【請求項４】
口元を覆うマスク本体と、前記マスク本体の左右両側に設けられる一対の耳掛けひもとを備えるマスクを覆うマスクカバーであって、
前記マスク本体は、ユーザが前記マスクを装着した際にユーザ側に位置する第１の面と、前記第１の面とは反対側に位置する第２の面とを有し、
前記マスクカバーは、
前記マスク本体における前記第１の面および前記第２の面のいずれか一方を覆うとともに通気性を有するシート状のカバー部と、
前記マスク本体が前記カバー部に覆われた状態において、前記マスク本体を保持する保持部と、
前記マスク本体が前記カバー部に覆われた状態において、前記耳掛けひもを前記カバー部の縁部よりも外側へ延出させる延出部とを備え、
前記カバー部には貫通孔が設けられ、前記貫通孔に前記耳掛けひもが挿通されることにより、前記貫通孔が前記保持部および前記延出部として機能する、マスクカバー。
【考案の詳細な説明】
【技術分野】
【０００１】
本考案は、マスクカバーに関する。
【背景技術】
【０００２】
従来、病原微生物および塵埃など、人体に影響を及ぼす微小な物質が口および鼻から体内に侵入することを抑制したり、咳およびくしゃみに伴う唾液などの飛沫が口および鼻から外部へ飛散することを抑制したりするために、使い捨て型マスクなどのマスクが使用されている（たとえば、特許文献１を参照）。
【先行技術文献】
【特許文献】
【０００３】
【特許文献１】実開昭６３−１８００５９号公報
【考案の概要】
【考案が解決しようとする課題】
【０００４】
しかしながら、病原微生物による病気が流行した場合など、マスクが大量に消費される事態が生じた場合には、マスクの供給が消費に追い付かず、市場および家庭などでマスク不足が生じることがある。
【０００５】
このようなマスク不足が生じても、ユーザがマスクを使用することができるように、マスクを再利用することが可能な技術が求められている。
【０００６】
本考案は、かかる問題点に鑑みて、マスクの再利用を良好に行うことが可能なマスクカバーを提供することを目的とする。
【課題を解決するための手段】
【０００７】
本考案のマスクカバーは、口元を覆うマスク本体と、前記マスク本体の左右両側に設けられる一対の耳掛けひもとを備えるマスクを覆うマスクカバーであって、前記マスク本体は、ユーザが前記マスクを装着した際にユーザ側に位置する第１の面と、前記第１の面とは反対側に位置する第２の面とを有し、前記マスクカバーは、前記マスク本体における前記第１の面および前記第２の面の両方を覆った状態で前記マスク本体を収容し、通気性を有するカバー部と、前記マスク本体を前記カバー部内へ案内する案内部とを備え、前記カバー部は、前記第１の面を覆うシート状の第１のカバー部と、前記第２の面を覆うシート状の第２のカバー部とを含み、前記第１のカバー部の下縁部と前記第２のカバー部の下縁部とが一体的に連結されるとともに、前記第１のカバー部の上縁部と前記第２のカバー部の上縁部とが一体的に連結され、前記第１のカバー部の左縁部と前記第２のカバー部の左縁部との間、および前記第１のカバー部の右縁部と前記第２のカバー部の右縁部との間、の少なくともいずれか一方に隙間が形成され、前記隙間の形成により、各前記左縁部と各前記右縁部との少なくともいずれか一方が、前記案内部として機能する。
【０００８】
また、前記マスクカバーは、前記マスク本体が前記カバー部に覆われた状態において、前記耳掛けひもを前記カバー部の縁部よりも外側へ延出させる延出部を備え、前記延出部を設けるための前記隙間が形成されていることが好ましい。
【０００９】
また、前記カバー部は、折り目を境に二つ折りされたシート材により構成され、前記第１のカバー部における、前記折り目とは反対側の縁部と、前記第２のカバー部における、前記折り目とは反対側の縁部とが接合されていることが好ましい。
【００１０】
本考案のマスクカバーは、口元を覆うマスク本体と、前記マスク本体の左右両側に設けられる一対の耳掛けひもとを備えるマスクを覆うマスクカバーであって、前記マスク本体は、ユーザが前記マスクを装着した際にユーザ側に位置する第１の面と、前記第１の面とは反対側に位置する第２の面とを有し、前記マスクカバーは、前記マスク本体における前記第１の面および前記第２の面のいずれか一方を覆うとともに通気性を有するシート状のカバー部と、前記マスク本体が前記カバー部に覆われた状態において、前記マスク本体を保持する保持部と、前記マスク本体が前記カバー部に覆われた状態において、前記耳掛けひもを前記カバー部の縁部よりも外側へ延出させる延出部とを備え、前記カバー部には貫通孔が設けられ、前記貫通孔に前記耳掛けひもが挿通されることにより、前記貫通孔が前記保持部および前記延出部として機能する。
【考案の効果】
【００１１】
本考案によれば、マスクの再利用を良好に行うことができる。
【図面の簡単な説明】
【００１２】
【図１】本考案の一実施形態に係るマスクカバーの構成の第１例を示す正面図である。
【図２】図１に示すマスクカバーを示す斜視図である。
【図３】図１に示すマスクカバーによりマスクを覆った状態を示す正面図である。
【図４】図１に示すマスクカバーの使用状態を示す図である。
【図５】本考案の一実施形態に係るマスクカバーの構成の第２例を示す正面図である。
【図６】図５に示すマスクカバーを示す斜視図である。
【図７】図５に示すマスクカバーによりマスクを覆った状態を示す正面図である。
【図８】図５に示すマスクカバーの使用状態を示す図である。
【図９】本考案の一実施形態に係るマスクカバーの構成の第３例を示す正面図である。
【図１０】図９に示すマスクカバーによりマスクを覆った状態を示す正面図である。
【図１１】本考案の一実施形態に係るマスクカバーの構成の第４例を示す正面図である。
【図１２】図１１に示すマスクカバーによりマスクを覆った状態を示す正面図である。
【考案を実施するための形態】
【００１３】
以下、本考案の一実施形態に係るマスクカバーについて図面を用いて説明する。なお、図中同一または相当部分には同一符号を付してその説明は繰り返さない。また、以下に記載する実施形態の少なくとも一部同士を任意に組み合わせてもよい。また、以下に示す実施形態はあくまで例にすぎず、本考案のマスクカバーは、以下の例に限定されることはない。
【００１４】
＜マスクカバーの第１例＞
図１は、本考案の一実施形態に係るマスクカバーの構成の第１例を示す正面図である。図２は、図１に示すマスクカバーを示す斜視図である。図３は、図１に示すマスクカバーによりマスクを覆った状態を示す正面図である。図４は、図１に示すマスクカバーの使用状態を示す図である。以下、図１〜図４を参照して、マスクカバーの第１例について説明する。
【００１５】
なお、本明細書および図面において、方向Ｈは使用状態における水平方向を表し、方向Ｖは使用状態における上下方向を表すものとする。また、方向ＦＢはマスクＭおよびマスクカバー１の前後方向を表し、方向Ｆは使用状態における前方向を表し、方向Ｂは使用状態における後方向を表すものとする。前後方向ＦＢは、マスクＭおよびマスクカバー１を装着したユーザＵから見て前後となる方向である。前方向Ｆは、マスクＭおよびマスクカバー１を装着したユーザＵから見て前となる方向である。後方向Ｂは、マスクＭおよびマスクカバー１を装着したユーザＵから見て後となる方向である。また、方向ＬＲは、マスクＭおよびマスクカバー１の左右方向を表し、矢印Ｌは左方向を表し、矢印Ｒは右方向を表すものとする。左右方向ＬＲは、水平面内において前後方向ＦＢと直交する方向である。左方向Ｌは、マスクＭおよびマスクカバー１を装着したユーザＵから見て左側の方向である。右方向Ｒは、マスクＭおよびマスクカバー１を装着したユーザＵから見て右側の方向である。
【００１６】
マスクカバー１は、フェイスマスクであるマスクＭ（図３参照）を覆うマスクカバーである。マスクカバー１が覆う対象であるマスクＭの種類は、特に限定されるものではない。詳細には、マスクＭの用途は、たとえば、一般ユーザ向けの家庭用マスク、産業用の防塵規格マスクおよび医療用マスクのうちのいずれであってもよい。また、マスク本体Ｍ１の材質は、たとえば、不織布およびガーゼのいずれであってもよい。また、マスクＭの形状は、たとえば、平型マスク、プリーツ型マスクおよび立体マスクのうちのいずれであってもよい。本例では、マスクＭが家庭用のプリーツ型マスクである場合を例に挙げて説明する。なお、マスクＭを他の種類のマスクとすることも可能である。
【００１７】
マスクＭは、ユーザＵ（図４参照）の口元を覆うマスク本体Ｍ１と、マスク本体Ｍ１の左右両側に設けられる一対の耳掛けひもＭ２とを備える。マスクＭのプリーツを広げることにより、マスク本体Ｍ１は、ユーザＵの顔面にフィットし得る形状に変形する。
【００１８】
マスク本体Ｍ１は、ユーザＵがマスクＭを装着した際にユーザＵ側に位置する第１の面Ｓ１（図４参照）と、第１の面Ｓ１とは反対側に位置する第２の面Ｓ２（図４参照）とを有する。
【００１９】
次に、図１〜図４を参照して、マスクＭを覆うマスクカバー１について説明する。図１〜図４に示されるように、マスクカバー１は、カバー部２と、案内部４と、延出部５とを備える。
【００２０】
カバー部２は、通気性を有する。カバー部２の材料は、通気性を有するものであれば特に限定されない。たとえば、カバー部２は、多孔質の材料により構成されてもよいし、材料に機械的に複数の穴をあけた構成であってもよい。また、カバー部２は、たとえばシート材により構成される。カバー部２を構成するシート材は、たとえば、合成樹脂シート、紙（たとえば和紙など）、織布および不織布などの材料のいずれで構成されてもよく、または、これらの材料のうちの２つ以上の材料の積層体で構成されてもよい。本例では、カバー部２は、通気性を有する不織布と、通気性を有する合成樹脂シートとの積層体であるシート材により構成されている。なお、カバー部２の通気性の程度は、使用目的に応じて調整されることが好ましい。たとえば、病人が使用することを目的とする場合には、通気性を高めに設定し、スポーツによって心肺能力を鍛える際に用いる場合には、通気性を低めに設定することができる。
【００２１】
カバー部２は、マスク本体Ｍ１における第１の面Ｓ１および第２の面Ｓ２を覆った状態で、マスク本体Ｍ１を収容する。本例では、カバー部２は、マスク本体Ｍ１の第１の面Ｓ１を覆うシート状の第１のカバー部２２と、マスク本体Ｍ１の第２の面Ｓ２を覆うシート状の第２のカバー部２３とを含む。第１のカバー部２２は、第２のカバー部２３と連続している。
【００２２】
第１のカバー部２２は、マスク本体Ｍ１の第１の面Ｓ１より大きく、第２のカバー部２３は、マスク本体Ｍ１の第２の面Ｓ２より大きい。カバー部２は、第１のカバー部２２および第２のカバー部２３によってマスク本体Ｍ１をマスク本体Ｍ１の両面側から挟持することにより、マスク本体Ｍ１の全体を覆いつつマスク本体Ｍ１の全体を収容する。
【００２３】
第１のカバー部２２は、たとえば横長の長方形状に形成される。第２のカバー部２３も横長の長方形状であり、第１のカバー部２２と同じ大きさに形成される。第１のカバー部２２および第２のカバー部２３において、横長の長方形の上辺に沿う縁部が上縁部であり、下辺に沿う縁部が下縁部であり、左辺に沿う縁部が左縁部であり、右辺に沿う縁部が右縁部である。
【００２４】
なお、第１のカバー部２２および第２のカバー部２３の形状は、長方形状に限定されるものではなく、たとえば、横長の楕円形状等であってもよい。第１のカバー部２２の形状が横長の楕円形状である場合には、第１のカバー部２２の縁部における、楕円の短軸と楕円との上側の交点を含む左右両側の所定の領域が上側縁部である。また、第１のカバー部２２の縁部における、楕円の短軸と楕円との下側の交点を含む左右両側の所定の領域が下側縁部である。また、第１のカバー部２２の縁部における、楕円の長軸と楕円との左側の交点を含む上下両側の所定の領域が左側縁部である。また、第１のカバー部２２の縁部における、楕円の長軸と楕円との右側の交点を含む上下両側の所定の領域が右側縁部である。第２のカバー部２３の形状が横長の楕円形状である場合についても同様である。
【００２５】
第１のカバー部２２の下縁部と第２のカバー部２３の下縁部とは、一体的に連結されている。また、第１のカバー部２２の上縁部と第２のカバー部２３の上縁部とは、一体的に連結されている。ここで、「一体的に連結」とは、２つの部分同士がひと続きになっていること、すなわち連続していることを意味する。「一体的に連結」の概念には、たとえば、合成樹脂シート等のシート材の一体成形、および合成樹脂シート等のシート材同士の融着等の接合が含まれる。
【００２６】
一方、第１のカバー部２２の左縁部と第２のカバー部２３の左縁部とは、少なくとも一部の領域において連結されていない。また、第１のカバー部２２の右縁部と第２のカバー部２３の右縁部とは、少なくとも一部の領域において連結されていない。これにより、第１のカバー部２２の左縁部と第２のカバー部２３の左縁部との間、および第１のカバー部２２の右縁部と第２のカバー部２３の右縁部との間、の少なくともいずれか一方に隙間２６が形成される。隙間２６の形成により、第１のカバー部２２および第２のカバー部２３の各左縁部と、第１のカバー部２２および第２のカバー部２３の各右縁部との少なくともいずれか一方が、案内部４および延出部５として機能する。
【００２７】
本例では、第１のカバー部２２の左縁部と第２のカバー部２３の左縁部との間、および第１のカバー部２２の右縁部と第２のカバー部２３の右縁部との間、の両方に隙間２６が形成される。隙間２６の形成により、第１のカバー部２２および第２のカバー部２３の各左縁部と、第１のカバー部２２および第２のカバー部２３の各右縁部との両方が、案内部４および延出部５として機能する。案内部４および延出部５については、以下で詳しく述べる。
【００２８】
また、本例では、カバー部２は、折り目２４を境に二つ折りされたシート材により構成されている。詳細には、第１のカバー部２２における、折り目２４とは反対側の縁部（図１〜図４に示す例では下縁部）と、第２のカバー部２３における、折り目２４とは反対側の縁部（図１〜図４に示す例では下縁部）とが接合されている。詳細には、たとえば、四角形状のシート材の対向する２辺の間の中央部において、当該２辺と平行な直線を折り目として、当該シート材を半分に折り、当該２辺のうちの一方の辺に沿う縁部と、当該２辺のうちの他方の辺に沿う縁部とを重ね合わせ、重ね合わされた２つの縁部同士を接合することにより、筒状体を扁平に変形させたような長方形状の成形体であるカバー部２を得ることができる。
【００２９】
シート材同士の接合方法は特に限定されるものではなく、たとえば、合成樹脂シート同士の熱融着または超音波接合、接着剤を用いた接合、縫合、カシメによる接合、および圧着など、公知である種々の接合方法を採用することができる。本例では、合成樹脂シート同士の熱融着により接合されている。図１〜図３において、第１のカバー部２２の下縁部と第２のカバー部２３の下縁部とを接合する接合部２５を破線で示している。
【００３０】
なお、第１のカバー部２２と第２のカバー部２３とは、別体の部材であってもよい。詳細には、カバー部材２は、別体である第１のカバー部２２および第２のカバー部２３を接合したものであってもよい。たとえば、第１のカバー部２２および第２のカバー部２３を別体で準備し、第１のカバー部２２の対向する２辺に対応する２つの縁部と、第２のカバー部２３の対向する２辺に対応する２つの縁部とをそれぞれ接合することにより、カバー部材２を作製してもよい。
【００３１】
案内部４は、マスク本体Ｍ１をカバー部２内へ案内する。本例では、第１のカバー部２２の左縁部と第２のカバー部２３の左縁部との間、および第１のカバー部２２の右縁部と第２のカバー部２３の右縁部との間の両方に隙間２６（図２参照）が形成されることにより、第１のカバー部２２および第２のカバー部２３の各左縁部と、第１のカバー部２２および第２のカバー部２３の各右縁部との両方が案内部４として機能する。すなわち、第１のカバー部２２の左縁部と第２のカバー部２３の左縁部との間に隙間２６が形成されることで、当該２つの左縁部により左側の案内部４が構成される。また、第１のカバー部２２の右縁部と第２のカバー部２３の右縁部との間に隙間２６が形成されることで、当該２つの右縁部により右側の案内部４が構成される。
【００３２】
第１のカバー部２２の左縁部および第２のカバー部２３の左縁部に沿った方向における、隙間２６の幅Ｗ（図２参照）は、マスク本体Ｍ１の右縁部の長さＬ１（図３参照）よりも大きいことが好ましい。隙間２６の幅Ｗをこのような大きさとすることにより、マスク本体Ｍ１を隙間２６を通じて収容部３に向けて容易に案内することができる。第１のカバー部２２の右縁部および第２のカバー部２３の右縁部に沿った方向における、隙間２６の幅Ｗについても同様である。
【００３３】
なお、第１のカバー部２２の左縁部と第２のカバー部２３の左縁部との間、および第１のカバー部２２の右縁部と第２のカバー部２３の右縁部との間のいずれか一方に隙間２６を形成することにより、１つの案内部４が設けられる構成であってもよい。
【００３４】
延出部５は、マスク本体Ｍ１がカバー部２に覆われた状態において、耳掛けひもＭ２をカバー部２の縁部よりも外側へ延出させる。本例では、第１のカバー部２２の左縁部と第２のカバー部２３の左縁部との間、および第１のカバー部２２の右縁部と第２のカバー部２３の右縁部との間の両方に隙間２６（図２参照）を形成することにより、２つの延出部５が設けられる。すなわち、第１のカバー部２２の左縁部と第２のカバー部２３の左縁部との間に隙間２６が形成されることで、当該２つの左縁部により左側の延出部５が構成される。また、第１のカバー部２２の右縁部と第２のカバー部２３の右縁部との間に隙間２６が形成されることで、当該２つの右縁部により右側の延出部５が構成される。
【００３５】
第１のカバー部２２の左縁部および第２のカバー部２３の左縁部に沿った方向における、隙間２６の幅Ｗ（図２参照）は、マスク本体Ｍ１の左縁部に対する耳掛けひもＭ２の両端の取付位置の間隔Ｌ２（図３参照）よりも大きいことが好ましい。隙間２６の幅Ｗをこのような大きさとすることにより、耳掛けひもＭ２を隙間２６を通じてカバー部２の外部へ容易に延出させることができる。第１のカバー部２２の右縁部および第２のカバー部２３の右縁部に沿った方向における、隙間２６の幅Ｗについても同様である。
【００３６】
次に、図２〜図４を参照して、マスクカバー１の使用方法について説明する。まず、図２に示されるように、ユーザは、たとえば、第１のカバー部２２の右縁部と第２のカバー部２３の右縁部との間の隙間２６を通じて、マスク本体Ｍ１をマスク本体Ｍ１の左縁部からカバー部２内へ挿入し、案内部４によってマスク本体Ｍ１をカバー部２内へ案内させて、マスク本体Ｍ１の全体をカバー部２内に収容する。なお、ユーザは、第１のカバー部２２の左縁部と第２のカバー部２３の左縁部との間の隙間２６を通じて、マスク本体Ｍ１をマスク本体Ｍ１の右縁部からカバー部２内へ挿入し、案内部４によってマスク本体Ｍ１をカバー部２内へ案内させて、マスク本体Ｍ１の全体をカバー部２内に収容してもよい。
【００３７】
次に、図３に示されるように、ユーザは、マスク本体Ｍ１の全体がカバー部２に覆われた状態において、第１のカバー部２２の左縁部と第２のカバー部２３の左縁部との間の隙間２６を通じて、左側の耳掛けひもＭ２をカバー部２の左縁部よりも外側へ延出させる。また、第１のカバー部２２の右縁部と第２のカバー部２３の右縁部との間の隙間２６を通じて、右側の耳掛けひもＭ２をカバー部２の右縁部よりも外側へ延出させる。
【００３８】
次に、図４に示されるように、ユーザは、マスク本体Ｍ１を覆っているマスクカバー１の第１のカバー部２２をユーザ側に向けた状態で、カバー部２により口元および鼻を覆い、２つの耳掛けひもＭ２を左右の耳に掛ける。これにより、ユーザの顔面にマスクＭおよびマスクカバー１が装着される。
【００３９】
以上のように、本考案の一実施形態の第１例に係るマスクカバー１は、口元を覆うマスク本体Ｍ１と、マスク本体Ｍ１の左右両側に設けられる一対の耳掛けひもＭ２とを備えるマスクＭを覆うマスクカバーである。マスク本体Ｍ１は、ユーザがマスクＭを装着した際にユーザ側に位置する第１の面Ｓ１と、第１の面Ｓ１とは反対側に位置する第２の面Ｓ２とを有する。マスクカバー１は、カバー部２と、案内部４とを備える。マスクカバー１は、カバー部２と、案内部４とを備える。カバー部２は、マスク本体Ｍ１における第１の面Ｓ１および第２の面Ｓ２の両方を覆った状態でマスク本体Ｍ１を収容し、通気性を有する。案内部４は、マスク本体Ｍ１をカバー部２内へ案内する。カバー部２は、第１の面Ｓ１を覆うシート状の第１のカバー部２２と、第２の面Ｓ２を覆うシート状の第２のカバー部２３とを含む。第１のカバー部２２の下縁部と第２のカバー部２３の下縁部とが一体的に連結されるとともに、第１のカバー部２２の上縁部と第２のカバー部２３の上縁部とが一体的に連結される。第１のカバー部２２の左縁部と第２のカバー部２３の左縁部との間、および第１のカバー部２２の右縁部と第２のカバー部２３の右縁部との間、の少なくともいずれか一方に隙間２６が形成される。隙間２６の形成により、各左縁部と各右縁部との少なくともいずれか一方が、案内部４として機能する。
【００４０】
このように、たとえば、マスクＭのマスク本体Ｍ１を、マスクカバー１における第１のカバー部２２の縁部と第２のカバー部２３の縁部との間の隙間２６から挿入して、第１のカバー部２２と第２のカバー部２３との間に収容し、隙間２６からマスクＭの耳掛けひもＭ２を延出させる構成により、マスク本体Ｍ１を容易かつ速やかに覆って、マスク本体Ｍ１が汚れるのを抑制してマスクＭの再利用を促進するマスクカバー１を簡単な構成で提供することができる。また、マスクＭおよびマスクカバー１を使用した後、マスクカバー１の隙間２６からマスク本体Ｍ１を取り出すことにより、使用によって汚れたマスクカバー１を容易に廃棄することができる。したがって、マスクの再利用を良好に行うことができる。
【００４１】
また、本実施形態の第１例に係るマスクカバーでは、マスクカバー１は、マスク本体１がカバー部２に覆われた状態において、耳掛けひもＭ２をカバー部２の縁部よりも外側へ延出させる延出部５を備える。延出部５を設けるための隙間２６が形成されている。
【００４２】
このような構成により、マスク本体Ｍ１をマスクカバー１の収容部３内へ案内するための隙間２６を通じて、耳掛けひもＭ２をカバー部２の縁部よりも外側へ延出させることができるため、マスク本体Ｍ１の収容動作に連続して耳掛けひもＭ２の延出動作を行うことができ、簡単な構成で、マスク本体Ｍ１をマスクカバー１によって覆った後のマスクＭを速やかに使用可能な状態とすることができる。
【００４３】
また、本実施形態の第１例に係るマスクカバーでは、カバー部２は、折り目２４を境に二つ折りされたシート材により構成される。第１のカバー部２２における、折り目２４とは反対側の縁部と、第２のカバー部２３における、折り目２４とは反対側の縁部とが接合されている。
【００４４】
このような構成により、シート材を二つ折りして、当該シート材の縁部同士を接合するだけで、マスクカバー１を構成することができるため、製造時間の短縮化および製造コストの低減を図ることができる。
【００４５】
＜マスクカバーの第２例＞
本例は、第１例に係るマスクカバー１と比べて、カバー部、案内部および延出部の形態が異なるマスクカバーに関する。以下で説明する内容以外は第１例に係るマスクカバー１と同様である。
【００４６】
図５は、本考案の一実施形態に係るマスクカバーの構成の第２例を示す正面図である。図６は、図５に示すマスクカバーを示す斜視図である。図７は、図５に示すマスクカバーによりマスクを覆った状態を示す正面図である。図８は、図５に示すマスクカバーの使用状態を示す図である。以下、図５〜図８を参照して、マスクカバーの第２例について説明する。
【００４７】
図５〜図７に示されるように、本例に係るマスクカバー１Ａは、図１に示すマスクカバー１と比べて、カバー部２、案内部４および延出部５の代わりに、それぞれ、カバー部２Ａ、案内部４Ａおよび延出部５Ａを備える。カバー部２Ａは、マスク本体Ｍ１の第１の面Ｓ１を覆うシート状の第１のカバー部２２Ａと、マスク本体Ｍ１の第２の面Ｓ２を覆うシート状の第２のカバー部２３Ａとを含む。図１に示すカバー部２と同様に、第１のカバー部２２Ａは、第２のカバー部２３Ａと連続している。
【００４８】
第１のカバー部２２Ａは、１または複数のプリーツ部２２１を有する。詳細には、第１のカバー部２２Ａは、左右方向ＬＲに沿って延びる折り目によってプリーツ折りされている。第１のカバー部２２Ａは、左縁部および右縁部において、プリーツ部２２１が開かないように閉じた状態で固定されている。第１のカバー部２２Ａは、上縁部が上方向へ引っ張られ、下縁部が下方向へ引っ張られることにより、左縁部および右縁部の間でプリーツ部２２１が上下方向Ｖに開いて、第１のカバー部２２Ａが前方向Ｆに膨らんだ状態に広げられるように構成される。第２のカバー部２３Ａは、第１のカバー部２２Ａと同様に構成される。
【００４９】
本例では、第１のカバー部２２Ａの左縁部と第２のカバー部２３Ａの左縁部との間、および第１のカバー部２２Ａの右縁部と第２のカバー部２３Ａの右縁部との間、の両方に隙間２６Ａが形成される。隙間２６Ａの形成により、第１のカバー部２２Ａおよび第２のカバー部２３Ａの各左縁部と、第１のカバー部２２Ａおよび第２のカバー部２３Ａの各右縁部との両方が、案内部４Ａおよび延出部５Ａとして機能する。
【００５０】
本例では、図８に示されるように、マスク本体Ｍ１がプリーツ型マスクである場合においても、カバー部２Ａは、マスク本体Ｍ１の前方向Ｆへの膨らみに対してより追従するように膨らむことができる。したがって、第１のカバー部２２Ａが口元に接触しにくくなり、ユーザＵはより楽に呼吸することができる。
【００５１】
＜マスクカバーの第３例＞
本例は、第１例に係るマスクカバー１と比べて、カバー部、案内部および延出部の形態が異なるマスクカバーに関する。以下で説明する内容以外は第１例に係るマスクカバー１と同様である。
【００５２】
図９は、本考案の一実施形態に係るマスクカバーの構成の第３例を示す正面図である。図１０は、図９に示すマスクカバーによりマスクを覆った状態を示す正面図である。以下、図９および図１０を参照して、マスクカバーの第３例について説明する。
【００５３】
図９および図１０に示されるように、本例に係るマスクカバー１Ｂは、図１に示すマスクカバー１と比べて、カバー部２、案内部４および延出部５の代わりに、それぞれ、カバー部２Ｂ、案内部４Ｂおよび延出部５Ｂを備える。カバー部２Ｂは、マスク本体Ｍ１の第１の面Ｓ１を覆うシート状の第１のカバー部２２Ｂと、マスク本体Ｍ１の第２の面Ｓ２を覆うシート状の第２のカバー部２３Ｂとを含む。
【００５４】
第１のカバー部２２Ｂは、図１に示す第１のカバー部２２と比べて、第２のカバー部２３Ｂとの接合位置が異なる。詳細には、第１のカバー部２２Ｂの下縁部と第２のカバー部２３Ｂの下縁部とが接合されていることに加えて、第１のカバー部２２Ｂの左縁部と第２のカバー部２３Ｂの左縁部とが接合されるとともに、第１のカバー部２２Ｂの右縁部と第２のカバー部２３Ｂの右縁部とが接合されている。第１のカバー部２２Ｂの左縁部と第２のカバー部２３Ｂの左縁部とを接合する接合部２７、および第１のカバー部２２Ｂの右縁部と第２のカバー部２３Ｂの右縁部とを接合する接合部２８を破線で示している。接合部２７および接合部２８における接合方法は、たとえば、接合部２５における接合方法と同様である。
【００５５】
また、第２のカバー部２３Ｂは、図１に示す第１のカバー部２２と比べて、貫通孔２９が形成されている点が異なる。詳細には、第２のカバー部２３Ｂは、２つの貫通孔２９を有する。貫通孔２９の形態は特に限定されるものではないが、たとえば、スリットである。スリットの形状は特に限定されるものではないが、たとえば、直線状または波線状である。図９および図１０に示される例では、スリットは直線状に形成されている。一方の貫通孔２９は、接合部２７の近傍において、接合部２７に沿って形成されている。他方の貫通孔２９は、接合部２８の近傍において、接合部２８に沿って形成されている。
【００５６】
本例では、貫通孔２９は、案内部４Ｂおよび延出部５Ｂとして機能する。第２のカバー部２３Ｂの左縁部に沿った方向における、貫通孔２９の幅ＷＢ（図１０参照）は、マスク本体Ｍ１の右縁部の長さＬ１（図１０参照）よりも大きいことが好ましい。貫通孔２９の幅ＷＢをこのような大きさとすることにより、マスク本体Ｍ１を貫通孔２９を通じてカバー部２Ｂ内に容易に案内することができる。第２のカバー部２３の右縁部に沿った方向における、貫通孔２９の幅ＷＢについても同様である。
【００５７】
また、第２のカバー部２３Ｂの左縁部に沿った方向における、貫通孔２９の幅ＷＢ（図１０参照）は、マスク本体Ｍ１の左縁部に対する耳掛けひもＭ２の両端の取付位置の間隔Ｌ２（図１０参照）よりも大きいことが好ましい。貫通孔２９の幅ＷＢをこのような大きさとすることにより、耳掛けひもＭ２を貫通孔２９を通じてカバー部２Ｂの外部へ容易に延出させることができる。第２のカバー部２３Ｂの右縁部に沿った方向における、貫通孔２９の幅ＷＢについても同様である。
【００５８】
なお、本例では、貫通孔２９は、第２のカバー部２３Ｂに形成されているが、第１のカバー部２２Ｂに形成されてもよい。
【００５９】
本例では、図１０に示されるように、第１のカバー部２２Ｂの左縁部と第２のカバー部２３Ｂの左縁部とが接合されるとともに、第１のカバー部２２Ｂの右縁部と第２のカバー部２３Ｂの右縁部とが接合されているため、カバー部２の左縁部および右縁部の形状が安定する。したがって、カバー部２の顔面へのフィット感を高めることができる。
【００６０】
＜マスクカバーの第４例＞
本例は、第１例に係るマスクカバー１と比べて、カバー部、案内部および延出部の形態が異なるマスクカバーに関する。以下で説明する内容以外は第１例に係るマスクカバー１と同様である。
【００６１】
図１１は、本考案の一実施形態に係るマスクカバーの構成の第４例を示す正面図である。図１２は、図１１に示すマスクカバーによりマスクを覆った状態を示す正面図である。以下、図１１および図１２を参照して、マスクカバーの第４例について説明する。
【００６２】
図１１および図１２に示されるように、本例に係るマスクカバー１Ｃは、図１に示すマスクカバー１と比べて、カバー部２、案内部４および延出部５の代わりに、それぞれ、カバー部２Ｃ、保持部６および延出部５Ｃを備える。
【００６３】
カバー部２Ｃは、マスク本体Ｍ１の第１の面Ｓ１および第１の面Ｓ１のいずれか一方を覆うシート状の部材である。カバー部２Ｃは、たとえば、図２に示す第１のカバー部２２または第２のカバー部２３と同様の構成であり、１枚のシート材により構成されている。なお、カバー部２Ｃの構成はこれに限定されるものではなく、たとえば、図６に示す第１のカバー部２２Ａまたは第２のカバー部２３Ａと同様の構成であってもよい。
【００６４】
また、カバー部２Ｃには、貫通孔２９１が設けられている。詳細には、カバー部２Ｃは、２つの貫通孔２９１を有する。貫通孔２９１の形態は特に限定されるものではないが、たとえば、スリットである。スリットの形状は特に限定されるものではないが、たとえば、直線状または波線状である。図１１および図１２に示される例では、スリットは直線状に形成されている。一方の貫通孔２９１は、カバー部２Ｃの左縁部の近傍において、当該左縁部に沿って形成されている。他方の貫通孔２９１は、カバー部２Ｃの右縁部の近傍において、当該右縁部に沿って形成されている。
【００６５】
保持部６は、マスク本体Ｍ１がカバー部２Ｃに覆われた状態、すなわち、マスク本体Ｍ１における第１の面Ｓ１および第２の面Ｓ２のいずれか一方がカバー部２Ｃに覆われた状態において、マスク本体Ｍ１を保持する。延出部５Ｃは、マスク本体Ｍ１がカバー部２Ｃに覆われた状態において、耳掛けひもＭ２をカバー部２Ｃの縁部よりも外側へ延出させる。
【００６６】
本例では、貫通孔２９１は、保持部６および延出部５Ｃとして機能する。詳細には、貫通孔２９１に耳掛けひもＭ２が挿通されることにより、貫通孔２９１が保持部６および延出部５Ｃとして機能する。すなわち、貫通孔２９１に耳掛けひもＭ２が挿通されることにより、耳掛けひもＭ２が貫通孔２９１の内周面によって挟持されるため、貫通孔２９１は、保持部６として機能することができる。
【００６７】
カバー部２Ｃの左縁部に沿った方向における、貫通孔２９１の幅ＷＣ（図１２参照）は、マスク本体Ｍ１の左縁部に対する耳掛けひもＭ２の両端の取付位置の間隔Ｌ２（図１２参照）よりも大きいことが好ましい。貫通孔２９１の幅ＷＣをこのような大きさとすることにより、耳掛けひもＭ２を貫通孔２９１を通じてカバー部２Ｃの外部へ容易に延出させることができる。カバー部２Ｃの右縁部に沿った方向における、貫通孔２９１の幅ＷＣについても同様である。
【００６８】
以上のように、本考案の一実施形態の第４例に係るマスクカバー１Ｃは、口元を覆うマスク本体Ｍ１と、マスク本体Ｍ１の左右両側に設けられる一対の耳掛けひもＭ２とを備えるマスクＭを覆うマスクカバーである。マスク本体Ｍ１は、ユーザＵがマスクＭを装着した際にユーザＵ側に位置する第１の面Ｓ１と、第１の面Ｓ１とは反対側に位置する第２の面Ｓ２とを有する。マスクカバー１Ｃは、カバー部２Ｃと、保持部６と、延出部５Ｃとを備える。カバー部２Ｃは、マスク本体Ｍ１における第１の面Ｓ１および第２の面Ｓ２のいずれか一方を覆うとともに通気性を有するシート状の部材である。保持部６は、マスク本体Ｍ１がカバー部２Ｃに覆われた状態において、マスク本体Ｍ１を保持する。延出部５Ｃは、マスク本体Ｍ１がカバー部２Ｃに覆われた状態において、耳掛けひもＭ２をカバー部２Ｃの縁部よりも外側へ延出させる。カバー部２Ｃには貫通孔２９１が設けられ、貫通孔２９１に耳掛けひもＭ２が挿通されることにより、貫通孔２９１が保持部６および延出部５Ｃとして機能する。
【００６９】
このように、たとえば、マスクＭの耳掛けひもＭ２を、マスクカバー１Ｃにおける貫通孔２９１に挿入して、マスク本体Ｍ１を保持しつつ、貫通孔２９１から耳掛けひもＭ２を延出させる構成により、マスク本体Ｍ１を容易かつ速やかに覆って、マスク本体Ｍ１が汚れるのを抑制してマスクＭの再利用を促進するマスクカバー１Ｃを簡単な構成で提供することができる。また、マスクＭおよびマスクカバー１Ｃを使用した後、マスクカバー１Ｃの貫通孔２９１から耳掛けひもＭ２を抜き取ることにより、使用によって汚れたマスクカバー１Ｃを容易に廃棄することができる。したがって、マスクの再利用を良好に行うことができる。
【００７０】
上記実施形態は、すべての点で例示であって制限的なものでないと考えられるべきである。本考案の範囲は、上記説明ではなく実用新案登録請求の範囲によって示され、実用新案登録請求の範囲と均等の意味および範囲内でのすべての変更が含まれることが意図される。
【符号の説明】
【００７１】
１、１Ａ、１Ｂ、１Ｃ  マスクカバー
２、２Ａ、２Ｂ、２Ｃ  カバー部
２２、２２Ａ、２２Ｂ  第１のカバー部
２２１  プリーツ部
２３、２３Ａ、２３Ｂ  第２のカバー部
２４  折り目
２５  接合部
２６、２６Ａ  隙間
２７、２８  接合部
２９、２９１  貫通孔
４、４Ａ、４Ｂ  案内部
５、５Ａ、５Ｂ、５Ｃ  延出部
６  保持部
Ｂ  後方向
Ｆ  前方向
ＦＢ  前後方向
Ｈ  水平方向
ＬＲ  左右方向
Ｌ  左方向
Ｍ  マスク
Ｍ１  マスク本体
Ｍ２  耳掛けひも
Ｒ  右方向
Ｓ１  マスク本体の第１の面
Ｓ２  マスク本体の第２の面
Ｕ  ユーザ
Ｖ  上下方向
【図１】
0003226831.tif 000003
【図２】
0003226831.tif 000004
【図３】
0003226831.tif 000005
【図４】
0003226831.tif 000006
【図５】
0003226831.tif 000007
【図６】
0003226831.tif 000008
【図７】
0003226831.tif 000009
【図８】
0003226831.tif 000010
【図９】
0003226831.tif 000011
【図１０】
0003226831.tif 000012
【図１１】
0003226831.tif 000013
【図１２】
0003226831.tif 000014